(57)【要約】本開示は、励振器がフラットパネルに対して非ゼロの角度を成して取付けられるフラットパネルスピーカに関する。たとえば、取付け用ブラケットをフラットパネルに装着することができ、励振器がフラットパネルに対して回転されるように取付け用ブラケット上に励振器を取付けることができる。フラットパネルに対して非ゼロの角度を成して励振器を取付けることによって、励振器によって使われるフラットパネルの表面積が小さくて済む。したがって、他の用途にもフラットパネルの表面積が用いられる場合には、本開示に記載したようなフラットパネルスピーカの設計は、特に有用である。
2006526950.tif 000002
【特許請求の範囲】
【請求項１】
フラットパネルと、
励振器の出力面が前記フラットパネルの主面に対して非ゼロの角度を成して向けられるように前記フラットパネルに取付けられる励振器と、
を備えるフラットパネルスピーカ。
【請求項２】
前記励振器の出力面は、約４５°から１３５°の角度で、前記フラットパネルの主面に対して取付けられる、請求項１に記載のフラットパネルスピーカ。
【請求項３】
前記励振器の出力面は、約９０°の角度で、前記フラットパネルの主面に対して取付けられる、請求項２に記載のフラットパネルスピーカ。
【請求項４】
ブラケットをさらに備え、前記励振器の出力面は前記ブラケットに取付けられ、前記ブラケットは前記フラットパネルに装着される、請求項１に記載のフラットパネルスピーカ。
【請求項５】
前記励振器の出力面は、接着剤によって前記ブラケットの面に隣接して取付けられる、請求項４に記載のフラットパネルスピーカ。
【請求項６】
前記ブラケットは、別の接着剤によって前記フラットパネルに装着される、請求項５に記載のフラットパネルスピーカ。
【請求項７】
前記ブラケットは、機械的装着要素によって前記フラットパネルに装着される、請求項５に記載のフラットパネルスピーカ。
【請求項８】
前記ブラケットは、Ｌ字形のブラケットを備える、請求項４に記載のフラットパネルスピーカ。
【請求項９】
前記ブラケットは、前記フラットパネルの縁と嵌合するほぼＵ字形のリップを画定する、請求項４に記載のフラットパネルスピーカ。
【請求項１０】
前記フラットパネルの前記縁は、接着剤によって前記Ｕ字形のリップで前記ブラケットに装着される、請求項９に記載のフラットパネルスピーカ。
【請求項１１】
前記ブラケットは、前記フラットパネルの縁付近で前記フラットパネルに装着される、請求項４に記載のフラットパネルスピーカ。
【請求項１２】
前記ブラケットは、Ｖ字形のブラケットを備える、請求項４に記載のフラットパネルスピーカ。
【請求項１３】
前記ブラケットは、Ｔ字形のブラケットを備える、請求項４に記載のフラットパネルスピーカ。
【請求項１４】
前記フラットパネルは、背面投影フラットパネルディスプレイの投影スクリーンを備える、請求項１に記載のフラットパネルスピーカ。
【請求項１５】
前記フラットパネルは、ディスプレイ用の保護要素を備える、請求項１に記載のフラットパネルスピーカ。
【請求項１６】
前記フラットパネルは、コンピュータスクリーンのフィルタを備える、請求項１に記載のフラットパネルスピーカ。
【請求項１７】
前記フラットパネルに装着される複数のブラケットと、
励振器の出力面が前記フラットパネルの主面に対して非ゼロの角度を成して向けられるように前記複数のブラケットにそれぞれ取付けられる複数の励振器と、
をさらに備える、請求項４に記載のフラットパネルスピーカ。
【請求項１８】
前記ブラケットは、１０Ｇｐａ／ｇ／ｃｍ3より大きい比弾性率を有する材料を備える、請求項４に記載のフラットパネルスピーカ。
【請求項１９】
前記ブラケットは、２０Ｇｐａ／ｇ／ｃｍ3より大きい比弾性率を有する材料を備える、請求項１８に記載のフラットパネルスピーカ。
【請求項２０】
前記ブラケットは、９０Ｇｐａ／ｇ／ｃｍ3より大きい比弾性率を有する材料を備える、請求項１９に記載のフラットパネルスピーカ。
【請求項２１】
前記ブラケットは、１００Ｇｐａ／ｇ／ｃｍ3より大きい比弾性率を有する材料を備える、請求項２０に記載のフラットパネルスピーカ。
【請求項２２】
前記ブラケットは、２００Ｇｐａ／ｇ／ｃｍ3より大きい比弾性率を有する材料を備える、請求項２１に記載のフラットパネルスピーカ。
【請求項２３】
フラットパネル、及び、励振器の出力面が前記フラットパネルの主面に対して非ゼロの角度を成して向けられるように前記フラットパネルに取付けられる励振器、を備えるフラットパネルスピーカと、
前記励振器を駆動するために前記励振器に電気的に連結されるドライバユニットと、
を備えるシステム。
【請求項２４】
前記フラットパネルスピーカはブラケットをさらに備え、前記励振器の出力面が前記ブラケットに取付けられ、前記ブラケットが前記フラットパネルに装着される、請求項２３に記載のシステム。
【請求項２５】
前記ブラケットは、Ｌ字形のブラケットを備える、請求項２４に記載のシステム。
【請求項２６】
前記ブラケットは前記フラットパネルの縁と嵌合するほぼＵ字形のリップを画定し、前記フラットパネルの前記縁は接着剤によって前記Ｕ字形のリップで前記ブラケットに装着される、請求項２４に記載のシステム。
【請求項２７】
前記フラットパネルに装着される複数のブラケットと、
励振器の出力面が前記フラットパネルの主面に対して非ゼロの角度を成して向けられるように前記複数のブラケットにそれぞれ取付けられる複数の励振器であって、各々が前記ドライバユニットに電気的に連結される複数の励振器と、
をさらに備える請求項２４に記載のシステム。
【請求項２８】
前記ブラケットは、２０Ｇｐａ／ｇ／ｃｍ3より大きい比弾性率を有する材料を備える、請求項２４に記載のシステム。
【請求項２９】
前記ブラケットは、１００Ｇｐａ／ｇ／ｃｍ3より大きい比弾性率を有する材料を備える、請求項２８に記載のシステム。
【請求項３０】
前記ブラケットは、２００Ｇｐａ／ｇ／ｃｍ3より大きい比弾性率を有する材料を備える、請求項２９に記載のシステム。
【請求項３１】
前記ドライバユニットは、パワーアンプを備える、請求項２３に記載のシステム。
【請求項３２】
前記励振器の出力面は、約９０°の角度で前記フラットパネルの主面に対して取付けられる、請求項２３に記載のシステム。
【請求項３３】
フラットパネルと、
出力面を画定する励振器と、
前記励振器の出力面が前記フラットパネルの主面に対して非ゼロの角度を成して向けられるように、前記フラットパネルに前記励振器を取付けるための手段と、
を備えるフラットパネルスピーカ。
【請求項３４】
取付けるための前記手段は、前記フラットパネルの主面に対して約４５°から１３５°の角度で前記励振器の出力面を位置決めする、請求項３３に記載のフラットパネルスピーカ。
【請求項３５】
取付けるための前記手段は、前記フラットパネルの主面に対して約９０°の角度で前記励振器の出力面を位置決めする、請求項３３に記載のフラットパネルスピーカ。
【請求項３６】
フラットパネルディスプレイスクリーンと、
前記フラットパネルディスプレイスクリーン上に画像を投影するための投影装置と、
前記フラットパネルに装着されるブラケットと、
励振器の出力面が前記フラットパネルの主面に対して非ゼロの角度を成して向けられるように前記ブラケットに取付けられる励振器と、
前記励振器を駆動するために、前記励振器に電気的に連結されるドライバユニットと、
を備えるフラットパネルディスプレイシステム。
【請求項３７】
前記励振器の出力面は、約９０°の角度で前記フラットパネルディスプレイスクリーンの主面に対して向けられる、請求項３６に記載のフラットパネルディスプレイシステム。
【請求項３８】
前記励振器の出力面は前記ブラケットの第１の面に隣接して取付けられ、前記ブラケットの第２の面が前記フラットパネルディスプレイスクリーンに装着される、請求項３６に記載のフラットパネルディスプレイシステム。
【請求項３９】
前記ブラケットは、前記フラットパネルディスプレイスクリーンの縁付近に前記フラットパネルディスプレイスクリーンに装着される、請求項３６に記載のフラットパネルディスプレイシステム。
【請求項４０】
前記ブラケットは第１のブラケットであり、前記励振器は第１の励振器であり、非ゼロの角度は第１の非ゼロの角度であり、前記システムは、
前記フラットパネルディスプレイスクリーンの別の縁付近に、前記フラットパネルディスプレイスクリーンに装着される第２のブラケットと、
第２の励振器の出力面が前記フラットパネルの主面に対して第２の非ゼロの角度を成して向けられるように、前記第２のブラケットに取付けられる第２の励振器と、
をさらに備える、請求項３９に記載のフラットパネルディスプレイシステム。
【請求項４１】
前記第１の非ゼロの角度および前記第２の非ゼロの角度は、約９０°である、請求項４０に記載のフラットパネルディスプレイシステム。
【発明の詳細な説明】
【技術分野】
【０００１】
本開示は、オーディオスピーカに関し、さらに詳細には、フラットパネルスピーカに関する。
【背景技術】
【０００２】
フラットパネルスピーカとは、フラットパネルおよびパネル上に位置決めされる励振器を利用するスピーカを指す。一般に、励振器は、フラットパネルを複合曲げモードに励振するために、フラットパネルによって分散される振動を発生する。たとえば、励振器は、ボイスコイルを備えてもよく、フラットパネルを励振する振動を発生するために、パワーアンプによって駆動されることができる。パネルを介して励振器の出力を分散することによって、高忠実度の音を生成することができる。フラットパネルスピーカの一例は、分布振動モード型スピーカ（ｄｉｓｔｒｉｂｕｔｅｄ  ｍｏｄｅ  ｌｏｕｄｓｐｅａｋｅｒ：ＤＭＬ）である。
【発明の開示】
【課題を解決するための手段】
【０００３】
一般に、本開示は、励振器がフラットパネルに対して非ゼロの角度で取付けられるフラットパネルスピーカに関する。たとえば取付け用ブラケットをフラットパネルに装着することができ、励振器がフラットパネルの主平面に対して角度を成すように、取付け用ブラケットに励振器を取付けることができる。フラットパネルに対して非ゼロの角度で励振器を取付けることによって、励振器によって使われるフラットパネルの表面積が小さくて済む。したがって、本開示に記載したように、他の用途にもフラットパネルの表面積が用いられる場合には、フラットパネルスピーカは特に有用である。たとえば、本願明細書に述べるようなフラットパネルスピーカは、フラットパネルディスプレイ用の背面投影スクリーン、コンピュータスクリーン、コンピュータスクリーンフィルタ、ディスプレイ用保護カバー、電磁干渉（ＥＭＩ）フィルタパネル、液晶ディスプレイ（ＬＣＤ）バックライト拡散パネル、プラズマディスプレイスクリーンおよびＬＣＤディスプレイスクリーンなどとして特に有用であり得る。
【０００４】
一実施形態において、本開示は、フラットパネルと、励振器の出力面がフラットパネルの主面に対して非ゼロの角度を成して向けられるように、フラットパネルに取付けられる励振器と、を備えるフラットパネルスピーカを提供する。たとえば、励振器の出力面がフラットパネルの主面に対して非ゼロの角度を成して向けられるように、励振器をフラットパネルに取付けるために、ブラケットを用いることができるが、本開示は、その点において必ずしも制限されているわけではない。
【０００５】
他の実施形態において、本開示は、フラットパネルと、励振器の出力面がフラットパネルの主面に対して非ゼロの角度を成して向けられるように、フラットパネルに取付けられる励振器と、を備えるフラットパネルスピーカを備えるシステムを提供する。このシステムは、励振器を駆動するために、励振器に電気的に連結されるドライバユニットをさらに備える。
【０００６】
他の実施形態において、本開示は、フラットパネルと、出力面を画定する励振器と、励振器の出力面がフラットパネルの主面に対して非ゼロの角度を成して向けられるように、フラットパネルに励振器を取付けるための手段と、を備えるフラットパネルスピーカを提供する。
【０００７】
他の実施形態において、本開示は、フラットパネルディスプレイスクリーンと、フラットパネルディスプレイスクリーン上に画像を投影するための投影装置と、フラットパネルに装着されるブラケットと、励振器の出力面がフラットパネルの主面に対して非ゼロの角度を成して向けられるようにブラケットに取付けられる励振器と、励振器を駆動するために、励振器に電気的に連結されるドライバユニットと、を備えるフラットパネルディスプレイシステムを提供する。
【０００８】
本開示の１つ以上の実施形態の詳細は、添付図面および以下の説明に記載される。本開示の他の特徴、目的および利点は、説明および図面、請求の範囲から明白であろう。
【発明を実施するための最良の形態】
【０００９】
本開示は、励振器がフラットパネルの主平面に対して非ゼロの角度、すなわち正の角度で取付けられるフラットパネルスピーカに関する。たとえば、取付け用ブラケットをフラットパネルに装着することができ、励振器の出力面がフラットパネルの面に対して角度を成すように取付け用ブラケットに励振器を取付けることができる。フラットパネルに対して非ゼロの角度を成して励振器を取付けることによって、励振器によって使われるフラットパネルの表面積が小さくて済む。さらに、フラットパネルにおいて使われる表面積を小さくすることによって、他の目的にフラットパネルを使用するための空間をさらに広くする。したがって、他の用途にもフラットパネルの表面積が用いられる場合には、本開示に記載したようなフラットパネルスピーカの設計は特に有用である。
【００１０】
フラットパネルスピーカの表面積が別の目的にも用いられるような用途の一例は、フラットパネルディスプレイにおける背面投影スクリーンである。その場合には、ディスプレイの投影スクリーンはまた、フラットパネルスピーカとしても機能しうる。投影スクリーンの外縁付近に１つ以上の励振器を取付けて、スクリーンの有用な部分、すなわち、画像の投影に用いられる部分が、スクリーンに従来取付けられる励振器を有するスクリーンに比べて大きくなるようにすることができる。フラットパネルディスプレイのべゼルのサイズもまた、小さくしてもよい。したがって、スクリーンがまたフラットパネルスピーカとしても用いられる場合には、フラットパネルディスプレイにおける背面投影スクリーンの有用なサイズを増大させるために、本開示の教示を用いることができる。フラットパネルスピーカの表面積が他の目的にも用いられる場合には、コンピュータスクリーン用途、コンピュータスクリーンフィルタ、ディスプレイ用保護カバー、ＥＭＩフィルタパネル、ＬＣＤバックライト拡散パネル、プラズマディスプレイスクリーンおよびＬＣＤディスプレイスクリーンなどをはじめとする他のフラットパネルスピーカ用途も多数ある。本開示は、励振器によって使われるフラットパネルの表面積の量を小さくすることによって、これらの用途および他の用途にも特に有用であると思われる。
【００１１】
図１および図２は、先行技術のフラットパネルスピーカの図である。図１は、ドライバユニット１４に電気的に連結される従来のフラットパネルスピーカ１２を備えたシステム１０の斜視図である。図２は、従来のフラットパネルスピーカ１２の側面図である。フラットパネルスピーカ１２は、フラットパネル１６と、フラットパネル１６上に位置する１つ以上の励振器１８Ａ、１８Ｂ（合わせて励振器１８と呼ぶ）と、を備える。先行技術によれば、出力面１９Ａ、１９Ｂが、フラットパネル１６の主面に当接し、フラットパネルの主面に実質的に平行である。言い換えれば、先行技術によれば、出力面１９Ａ、１９Ｂは、フラットパネル１６の主面に対してゼロの角度を画定する。
【００１２】
励振器１８は、フラットパネル１６を複合曲げモードに励振するために、フラットパネル１６によって分散される振動を発生する。特に、ドライバユニット１４は、励振器１８を駆動して、励振器１８にフラットパネル１６を励振する振動を発生させる。励振器１８はボイスコイルを備え、ドライバユニット１４は励振器１８を駆動するパワーアンプを備える。フラットパネルを介して励振器１８の出力を分散することによって、高忠実度の音を生成することができる。励振器１８は通常、ボイルコイルを備える。
【００１３】
図３は、本開示の実施形態によるフラットパネルスピーカ３０の側面図である。図３に示されているように、フラットパネルスピーカ３０は、フラットパネル３２およびフラットパネルに装着されるブラケット３４を備える。フラットパネルスピーカ３０はまた、出力面３８を画定する励振器３６を備える。本開示によれば、励振器３６は、励振器３６の出力面３８がフラットパネル３２の主面３９に対して非ゼロの角度、たとえば正の角度で向けられるようにブラケット３４に取付けられる。この実施例において、励振器３６の出力面３８は、フラットパネル３２の主面３９に対して約９０°の角度を成して向けられる。
【００１４】
言い換えれば、出力面３８は、主面３９に対して略直角に位置決めされる。ブラケット３４はそのような位置決めを容易にするが、他の構造も用いることが可能である。励振器３６の出力面３８は、ブラケット３４の第１の面に隣接するように取付けられ、ブラケット３４の第２の面は、たとえば、接着剤、ねじまたは他の固着機構を用いて、フラットパネル３２に装着される。フラットパネル３２に対して非ゼロの角度を成して励振器３６を取付けることによって、励振器３６によって使われるフラットパネル３２の表面積が小さくて済む。
【００１５】
フラットパネル３２は、アクリル、ポリカーボネートなどの剛性であるが屈曲可能な材料を含みうる。また、フラットパネル３２を実現するために、ガラスまたは他の材料を用いてもよい。フラットパネル３２は、０．００１平方メートルから１０平方メートルの範囲の面積を画定してもよいが、本開示はその点において限定されているわけではない。場合によっては、所与の用途に関して望ましい形状にフラットパネル３２を適合させるために、フラットパネル３２の主面は、弧を成していてもよく、湾曲するか、またはわずかに屈曲していてもよい。
【００１６】
励振器３６は通常、ボイスコイルを備えるが、圧電素子などの他の形態を取ってもよい。励振器３６の出力面３８は、０．６平方センチメートルから６５平方センチメートルの範囲の面積を画定してもよい。したがって、ブラケット３４上における励振器３６の取付けに必要な空間を提供するために、出力面が装着されるブラケット３４の面は、１平方センチメートルから１３０平方センチメートルの範囲の面積を画定してもよい。
【００１７】
図４は、ドライバユニット４２に電気的に連結されるフラットパネルスピーカ３０を備えるフラットパネルスピーカシステム４０の概念側面図である。励振器３６は、フラットパネル３２を複合曲げモードに励振するために、フラットパネル３２を介して分散される振動を発生する。特に、ドライバユニット４２は、励振器３６を駆動して、励振器３６の出力面３８にフラットパネル３２を励振する振動を発生させる。高忠実度の音を生成するために、振動は、ブラケット３４によって伝達され、フラットパネル３２によって分散される。
【００１８】
励振器３６は通常、ボイスコイルを備え、ドライバユニット４２は励振器３６を駆動するパワーアンプを備える。以下にさらに詳細に述べるように、フラットパネル３２への十分な振動伝達を容易にする材料からブラケット３４を形成することができる。特に、以下にさらに詳細に説明するように、比弾性率の高い材料からブラケット３４を形成することができる。ブラケット３４に関して比較的低密度で剛性の材料は、フラットパネル３２への十分な振動伝達を容易にすることができる。
【００１９】
励振器３６としては、ドイツのエラック・エレクトロアクスティック・ゲーエムベーハー（ＥＬＡＣ  Ｅｌｅｃｔｒｏａｃｕｓｔｉｃ  ＧｍｂＨ（Ｇｅｒｍａｎｙ））、英国のファーン・アコースティックス・リミテッド（Ｆａｎｅ  Ａｃｏｕｓｔｉｃｓ  Ｌｉｍｉｔｅｄ（Ｅｎｇｌａｎｄ））、中国の浙江天楽集団公司（Ｚｈｅｊｉａｎｇ  Ｔｉａｎｌｅ  Ｇｒｏｕｐ  Ｃｏｒｐ．（Ｃｈｉｎａ））または英国のエヌエックスティー・ピーエルシー・カンパニー（ＮＸＴ  ｐｌｃ  ｃｏｍｐａｎｙ（ｔｈｅ  Ｕｎｉｔｅｄ  Ｋｉｎｇｄｏｍ））によってライセンスを供与されたメーカなどの他の適切な励振器メーカから市販されているような任意のフラットパネル励振器が含まれる。ドライバユニット４２は、音を生成するためにスピーカを駆動するために用いることができる任意のパワーアンプなどを備えてもよい。
【００２０】
さまざまな実施形態において、フラットパネルスピーカに任意の数の励振器を用いることができることから、フラットパネルの主面に対して角度を成してそれぞれの励振器を向けるために、任意の数のブラケットを用いることができる。図５および図６は、それぞれが複数の励振器を備えるフラットパネルスピーカ５０、６０の側面図である。具体的に言えば、スピーカ５０（図５）はブラケット５２Ａ、５２Ｂに取付けられる励振器５１Ａ、５１Ｂを備え、スピーカ６０（図６）はブラケット６２Ａ、６２Ｂに取付けられる励振器６１Ａ、６１Ｂを備える。
【００２１】
本願明細書に述べるように、励振器５１Ａ、５１Ｂは、励振器５１Ａ、５１Ｂの出力面５８Ａ、５８Ｂがフラットパネル５３の主面５９に対して非ゼロの角度を成して向けられるようにブラケット５２Ａ、５２Ｂに取付けられる。同様に、図６に示されているように、励振器６１Ａ、６１Ｂは、励振器６１Ａ、６１Ｂの出力面６８Ａ、６８Ｂがフラットパネル６３の主面６９に対して非ゼロの角度を成して向けられるようにブラケット６２Ａ、６２Ｂに取付けられる。図５および図６の実施例では、ブラケットは、それぞれのフラットパネルの縁付近に位置決めされる。したがって、ブラケット間の面積を他の目的に用いることができる。たとえば、フラットパネル５３、６３は、背面投影フラットパネルディスプレイシステム用の投影スクリーンとして、コンピュータディスプレイスクリーン用保護要素、コンピュータスクリーンのフィルタ、ＥＭＩフィルタパネル、液晶ディスプレイ（ＬＣＤ）バックライト拡散パネル、プラズマディスプレイスクリーンおよびＬＣＤディスプレイスクリーンなどが含まれる。
【００２２】
ブラケット上にそれぞれの励振器を取付けるために、接着剤を用いることができる。たとえば、感圧接着剤、エポキシなどを用いて、ブラケット上にそれぞれの励振器を固定してもよい。ブラケット上に励振器を取付けるために用いられる接着剤は、伸展性があまりなく、硬いものであることが好ましい。そのような硬い接着剤は、励振器の振動出力が接着剤によって実質的に吸収または減衰されることなく、ブラケットを介してそれぞれのフラットパネルに確実に伝達するのを支援することができる。
【００２３】
図５に示された実施例では、ブラケット５２Ａ、５２Ｂは、接着剤によってフラットパネル５３に取付けられる。フラットパネル５３にブラケット５２Ａ、５２Ｂを固定するために、感圧接着剤、エポキシなどを用いてもよい。ブラケット５２Ａ、５２Ｂ上に励振器５１Ａ、５１Ｂを取付けるために用いられる接着剤と同様に、励振器５１Ａ、５１Ｂの振動出力が接着剤によって実質的に吸収または減衰されることなく、ブラケット５２Ａ、５２Ｂを介してフラットパネル５３に確実に伝達するのを支援するために、フラットパネル５３上にブラケット５２Ａ、５２Ｂを固定するために用いられる接着剤は、硬い接着剤であることが好ましい。接着剤が励振器５１Ａ、５１Ｂの振動出力を吸収または減衰しないことが重要である。感圧接着剤を用いる利点としては、塗布しやすさ、粗い面に対する適合性および接着面が屈曲される場合の亀裂に対する耐性が挙げられる。
【００２４】
図６に示された実施例では、ブラケット６２Ａ、６２Ｂは、ボルト、ねじ、合せ釘などの機械的要素６７Ａ、６７Ｂによって、フラットパネル６３に取付けられる。いずれの場合でも、励振器６１Ａ、６１Ｂとブラケット６２Ａ、６２Ｂとの間の強固な接合およびブラケット６２Ａ、６２Ｂとフラットパネル６３との間の強固な接合により、励振器６１Ａ、６１Ｂの振動出力がフラットパネル６３に確実に伝達され、高忠実度の音を生成するのを支援することができる。
【００２５】
図７は別のフラットパネルスピーカ７０の側面図であり、励振器７１Ａ、７１Ｂは、励振器７１Ａ、７１Ｂの出力面の７８Ａ、７８Ｂがフラットパネル７３の主面７９に対して非ゼロの角度を成して向けられるように、ブラケット７２Ａ、７２Ｂに取付けられる。図７の実施例では、ブラケット７２Ａ、７２Ｂは、フラットパネル７３の縁に装着される。したがって、他の目的のためにブラケット７２Ａ、７２Ｂ間の面積を用いることができる。
【００２６】
ブラケット７２Ａ、７２Ｂは、フラットパネル７３の縁と嵌合するほぼＵ字形のリップ７５Ａ、７５Ｂを画定する。このような態様では、フラットパネルスピーカ７０を簡単に組立てることができる。ブラケット７２Ａ、７２ＢのＵ字形のリップ７５Ａ、７５Ｂは接着剤によってフラットパネル７３の縁に固定することができ、励振器７１Ａ、７１Ｂの振動出力がフラットパネル７３に確実に伝達されるのを支援するために、接着剤は硬いことが好ましい。あるいは、ブラケット７２Ａ、７２Ｂは、フラットパネル７３の縁に圧着されてもよく、または何か他の機構によって固定されてもよい。
【００２７】
図８は、図７のフラットパネルスピーカ７０に類似のフラットパネルスピーカ８０の側面図である。図８に示されているように、励振器８１Ａ、８１Ｂは、励振器８１Ａ、８１Ｂの出力面の８８Ａ、８８Ｂがフラットパネル８３の主面８９に対して非ゼロの角度を成して向けられるように、ブラケット８２Ａ、８２Ｂに取付けられる。特に、励振器は、図７および図８にまとめて示されているように、ブラケットのいずれかの側に取付けられることができる。
【００２８】
図９は別のフラットパネルスピーカ９０の側面図であり、励振器９１Ａ、９１Ｂは、励振器９１Ａ、９１Ｂの出力面９８Ａ、９８Ｂがフラットパネル９３の主面９９に対して非ゼロの角度を成して向けられるように、ブラケット９２Ａ、９２Ｂに取付けられる。図９の実施例では、主面９９に対して出力面９８Ａ、９８Ｂによって画定される角度は、鈍角である。
【００２９】
図１０は別のフラットパネルスピーカ１００の側面図であり、励振器１０１Ａ、１０１Ｂは、励振器１０１Ａ、１０１Ｂの出力面１０８Ａ、１０８Ｂがフラットパネル１０３の主面１０９に対して角度を成して向けられるように、ブラケット１０２Ａ、１０２Ｂに取付けられる。図１０の実施例では、主面１０９に対して出力面１０８Ａ、１０８Ｂによって画定される角度は、鋭角である。
【００３０】
本開示によれば、フラットパネルの主面に対して励振器の出力面によって画定される角度は、４５°から１３５°の範囲に収まりうる。たとえば、励振器がブラケットに取付けられ、ブラケットがフラットパネルに取付けられるとき、フラットパネルの主面に対して励振器の出力面がブラケットによって画定される角度を成すように、ブラケットは、約４５°より大きく、約１３５°未満の角度を画定することができる。
【００３１】
多くの場合には、図３〜図８に示されているように、励振器の出力面は、約９０°の角度でフラットパネルの主面に対して取付けられる。その場合には、ブラケットは通常、直角を画定する。いずれの場合でも、フラットパネルに対する励振器の角度を成した取付けにより、励振器によって使われるフラットパネルの表面積を小さくすることができる。直角を画定するブラケットの使用は一般に、励振器によって使われる表面積の量を最小限に抑える。フラットパネルの表面積が背面投影フラットパネルディスプレイのディスプレイスクリーンなどの他の目的にも用いられる場合に、本開示のフラットパネルスピーカ設計は特に有用であり得る。
【００３２】
上述したように、本願明細書に記載されるフラットパネルスピーカの性能に影響を及ぼしうる１つの要因は、フラットパネルの面に対して角度を成して励振器を位置決めするために用いられるブラケットの材料組成にある。一般に、ブラケットを介して励振器とフラットパネルとの間の振動エネルギの高い伝達率を確保するために、きわめて硬いが、軽量の材料からなるブラケットを形成することが望ましい。費用もまた、要因となりうる。
【００３３】
本開示によれば、低コストのブラケットにはアルミニウムがうまく機能することが実験によって確認された。高張力鋼もまた、比較的うまく機能する。さらに高い効率のエネルギ伝達の場合には、カーボンファイバ複合材料ブラケットを用いてもよい。表１は種々の材料および各材料に関する密度、弾性率（単位はギガパスカル［Ｇｐａ］）および比弾性率（単位は密度当たりの弾性率すなわちＧｐａ／ｇ／ｃｍ3）を列挙している。弾性率とは剛性の数量化を指し、比弾性率とはそれぞれの材料の密度によって除算された弾性率を指す。
【００３４】
本開示によれば、比弾性率の高い材料から構成されるブラケットは励振器とフラットパネルとの間のエネルギ伝達の向上を実現することが確認された。言い換えれば、本願明細書に記載される用途では、さらに高い比弾性率の材料から構成されるブラケットは一般に、さらに低い比弾性率の材料から構成されるブラケットよりさらに望ましい。表１は、種々の材料および各材料に関する密度、弾性率および比弾性率を列挙している。
【００３５】
【表１】
2006526950.tif 000003
【００３６】
図１１は、本開示の実施形態によるフラットパネルスピーカ設計を利用するフラットパネル背面投影型ディスプレイシステム１１０の平面図である。フラットパネル背面投影型ディスプレイシステム１１０は、ハウジング１１２と、ハウジング１１２の前壁を形成するフラットパネル１１４と、を備える。ハウジング１１２は、フラットパネル１１４の縁に重なるベゼル１１３Ａ、１１３Ｂを画定する。ハウジング１１２の中には、フラットパネル１１４上に画像を投影する投影装置１１５がある。ドライバユニット１１８によって駆動される励振器１１６Ａ、１１６Ｂもまた、ハウジング１１２の中に配置される。
【００３７】
本開示によれば、励振器１１６Ａ、１１６Ｂはブラケット１１７Ａ、１１７Ｂに取付けられ、本願明細書に記載される実施形態の１つによれば、ブラケット１１７Ａ、１１７Ｂはフラットパネル１１４に取付けられる。図１１の例示の実施例では、ブラケット１１７Ａ、１１７Ｂは、図７および図８を参照して上述した実施形態に類似のフラットパネル１１４の縁に接着固定されるＵ字形のリップ１１５Ａ、１１５Ｂを画定する。励振器１１６Ａ、１１６Ｂは、ブラケット１１７Ａ、１１７Ｂに接着固定され、ハウジング１１２の内面にも接着固定されうる。
【００３８】
フラットパネル１１４に対して非ゼロの角度を成して励振器１１６Ａ、１１６Ｂを取付けることによって、励振器１１６Ａ、１１６Ｂによって使われるフラットパネル１１４の表面積が小さくて済む。したがって、投影装置１１５によって投影される画像の表示に有用なフラットパネル１４の面積は、先行技術の図１および図２に示されているように励振器がフラットパネルに直に取付けられるシステムに比べて、大きくなっている。また、本開示の教示によれば、ベゼル１１３Ａ、１１３Ｂのサイズもまた、従来のフラットパネルスピーカアセンブリに比べて、小さくすることができる。
【００３９】
図１２は別のフラットパネルスピーカ１２０の側面図であり、励振器１２１は、励振器１２１の出力面１２８がフラットパネル１２３の主面１２９に対して角度を成して向けられるように、ブラケット１２２に取付けられる。図１２の実施例では、ブラケット１２２は、たとえば、接着剤または機械的装着要素によって、フラットパネル１２３の縁に取付けられるＴ字形のブラケットを備える。
【００４０】
図１３は別のフラットパネルスピーカ１３０の側面図であり、励振器１３１は、励振器１３１の出力面の１３８がフラットパネル１３３の主面１３９に対して角度を成して向けられるように、ブラケット１３２に取付けられる。図１３の実施例では、ブラケット１３２は、たとえば、接着剤または機械的装着要素によって、フラットパネル１３３の縁に取付けられるＶ字形のブラケットを備える。そのようなＶ字形のブラケット１３２は、他の形状のブラケットに比べて、励振器１３１からフラットパネル１３３への振動の伝達を向上しうる。
【００４１】
図１４は別のフラットパネルスピーカ１４０の側面図であり、励振器１４１は、励振器１４１の出力面１４８がフラットパネル１４３の主面１４９に対して角度を成して向けられるように、フラットパネル１４３に取付けられる。図１４の実施例では、フラットパネル１４３は、副面１４６を画定するために、屈曲部１４４を有するように形成される。励振器１４１は、励振器１４１の出力面１４８がフラットパネル１４３の主面１４９に対して角度を成して向けられるように、フラットパネル１４３の副面１４６に取付けられる。言い換えれば、フラットパネル１４３は主面１４９および副面１４６を画定するためにＬ字形であり、励振器１４１は副面１４６に取付けられる。
【００４２】
複数の実施形態について述べてきた。たとえば、フラットパネルスピーカ設計は、取付け用ブラケットがフラットパネルに対して非ゼロの角度でフラットパネルの励振器を取り付けるのを容易にすると説明してきた。しかし、本開示の精神および範囲を逸脱することなく、種々の変更を行うことができる。これらおよび他の実施形態は、冒頭の請求の範囲内に包含される。
【図面の簡単な説明】
【００４３】
【図１】ドライバユニットに電気的に連結される従来のフラットパネルスピーカを備えたシステムの斜視図である。
【図２】図１の従来のフラットパネルスピーカの側面図である。
【図３】本開示の実施形態によるフラットパネルスピーカの側面図である。
【図４】本開示の実施形態によるドライバユニットに電気的に連結されるフラットパネルスピーカを備えたフラットパネルスピーカシステムの概念側面図である。
【図５】本開示の実施形態によるフラットパネルスピーカの側面図である。
【図６】本開示の実施形態によるフラットパネルスピーカの側面図である。
【図７】本開示の実施形態によるフラットパネルスピーカの側面図である。
【図８】本開示の実施形態によるフラットパネルスピーカの側面図である。
【図９】本開示の実施形態によるフラットパネルスピーカの側面図である。
【図１０】本開示の実施形態によるフラットパネルスピーカの側面図である。
【図１１】本開示の実施形態によるフラットパネルスピーカの設計を利用するフラットパネル背面投影型ディスプレイシステムの平面図である。
【図１２】本開示の実施形態によるフラットパネルスピーカの側面図である。
【図１３】本開示の実施形態によるフラットパネルスピーカの側面図である。
【図１４】本開示の実施形態によるフラットパネルスピーカの側面図である。
【図１】
2006526950.tif 000004
【図２】
2006526950.tif 000005
【図３】
2006526950.tif 000006
【図４】
2006526950.tif 000007
【図５】
2006526950.tif 000008
【図６】
2006526950.tif 000009
【図７】
2006526950.tif 000010
【図８】
2006526950.tif 000011
【図９】
2006526950.tif 000012
【図１０】
2006526950.tif 000013
【図１１】
2006526950.tif 000014
【図１２】
2006526950.tif 000015
【図１３】
2006526950.tif 000016
【図１４】
2006526950.tif 000017
【国際調査報告】
2006526950.tif 000018
2006526950.tif 000019
2006526950.tif 000020